(57)【要約】      （修正有）【課題】携帯電話又はその他の充電可能な電子装置が過充電状態になることを回避できるスマート充電装置を提供する。【解決手段】スマート充電装置１０は、電子装置及び外部電源に電気接続し、スマート充電装置１０は、セカンダリデバイス接続端１２及びプライマリデバイス接続端１４を含み、セカンダリデバイス接続端１２は、マイクロコントローラ、電流検出モジュール及びスイッチ回路を含む。マイクロコントローラは、電流下限値を保存する。また、電流検出モジュールは、電子装置の電流値を取得することに用いられる。また、スイッチ回路は、マイクロコントローラ及び電流検出モジュールに電気接続し、プライマリデバイス接続端１４は、外部電源及びスイッチ回路を電気接続する。電流値が電流下限値よりも小さい時、マイクロコントローラがスイッチ回路をオフ状態にする。【選択図】図２ａ
0003218612.tif 000002
【実用新案登録請求の範囲】
【請求項１】
電子装置及び外部電源を電気接続するためのスマート充電装置であって、
前記スマート充電装置は、
電流下限値を保存するマイクロコントローラと、
前記マイクロコントローラ及び前記電子装置に電気接続し、且つ前記電子装置の電流値を取得する電流検出モジュールと、
前記マイクロコントローラ及び前記電流検出モジュールを電気接続するスイッチ回路と、
を含むセカンダリデバイス接続端と、
前記外部電源及び前記スイッチ回路を電気接続するプライマリデバイス接続端と、を含み、
前記電流値が電流下限値未満である時、該マイクロコントローラが該スイッチ回路をオフ状態にするスマート充電装置。
【請求項２】
前記セカンダリデバイス接続端は、第１伝送線によって該電子装置と接続するＵＳＢスロットを更に含む請求項１に記載のスマート充電装置。
【請求項３】
該電子装置との接続に用いられる第２伝送線を更に含む請求項１に記載のスマート充電装置。
【請求項４】
前記電流検出モジュールは、
該電子装置に出力する電流信号を検出する電流検出ユニットと、
該電流検出ユニットに電気接続し、且つ該電流信号を強化し、該電流値を形成することに用いられる増幅回路と、
該増幅回路に電気接続し、且つ該電流値と該電流下限値とを比較する比較回路と、を含む請求項１に記載のスマート充電装置。
【請求項５】
前記電流下限値は２００ｍＡである請求項１に記載のスマート充電装置。
【請求項６】
前記セカンダリデバイス接続端は、更にＬＥＤインジケータを含み、
該ＬＥＤインジケータは、該マイクロコントローラに電気接続し、且つ該ＬＥＤインジケータは異なる色彩光を発し、
前記電流値が前記電流下限値未満である場合に、該マイクロコントローラは、該ＬＥＤインジケータの色彩光を変化させる請求項１に記載のスマート充電装置。
【請求項７】
該セカンダリデバイス接続端は、更に、制御ボタンを含み、
該スイッチ回路がオフ状態を呈する時に該制御ボタンを押圧することで、該スイッチ回路がオン状態に変化する請求項１に記載のスマート充電装置。
【考案の詳細な説明】
【技術分野】
【０００１】
本考案は、スマート充電装置に関し、より詳細には、電流検出モジュール及び制御ボタンを有するスマート充電装置に関する。
【背景技術】
【０００２】
現在、携帯電話の所有者は、習慣的に就寝前に充電ケーブルを使用して携帯電話に対して充電を行い、翌日起床するまで充電してそれから充電ケーブルを外す。しかしながら、携帯電話の電池が１００％に達した後でも電池に対する充電が持続されるので、該電池は、ずっと高圧の状態（即ち、過充電）にあって却って電池中の化学物質を損耗させてしまって携帯電話の電池寿命を短縮させる。また、電池がずっと過充電の状態にあると、携帯電話も加熱状況が発生する。
【０００３】
従って、携帯電話又はその他の充電可能な電子装置の電池が過充電状態になることを回避するかは、当業者が考慮すべきことである。
【０００４】
従来技術としては、下記の特許文献１に開示の過充電防止型の携帯端末充電器が存在する。この携帯端末充電器は、リールケーブルを手動で引っ張ることにより、発電器を回転させ電気を発生し携帯端末を充電する手段、および、充電中に携帯端末のバッテリーが獲得した起電力を計測し、所定の値に達した時点で警報を発する手段を備えたことを特徴とする。
【先行技術文献】
【特許文献】
【０００５】
【特許文献１】特開２０１７−９３２７６号公報
【考案の概要】
【考案が解決しようとする課題】
【０００６】
しかしながら、特許文献１に開示の携帯端末充電器を用いても、過充電状態を防止することはできなかった。本考案の目的は、携帯電話又はその他の充電可能な電子装置が過充電状態になることを回避できるスマート充電装置を提供することにある。
【課題を解決するための手段】
【０００７】
本考案のスマート充電装置は、電子装置及び外部電源を電気接続することに用いられ、スマート充電装置は、セカンダリデバイス接続端及びプライマリデバイス接続端を含み、セカンダリデバイス接続端は、マイクロコントローラ、電流検出モジュール及びスイッチ回路を含む。マイクロコントローラは、電流下限値を保存する。また、電流検出モジュールは、マイクロコントローラ及び電子装置に電気接触し、且つ電流検出モジュールは、該電子装置の電流値を取得する。また、スイッチ回路は、該マイクロコントローラ及び該電流検出モジュールを電気接続し、プライマリデバイス接続端は、該外部電源及び該スイッチ回路を電気接続する。電流値が該電流下限値未満である時、マイクロコントローラが該スイッチ回路をオフ状態にする。
【０００８】
前記スマート充電装置において、セカンダリデバイス接続端は、ＵＳＢスロットを更に含み、該ＵＳＢスロットは、第１伝送線によって該電子装置に接続する。
【０００９】
前記スマート充電装置において、電子装置に接続することに用いられる第２伝送線を更に含む。
【００１０】
前記スマート充電装置において、該電流検出モジュールは、電流検出ユニット、増幅回路及び比較回路を含み、電流検出ユニットは、該電子装置に出力する電流信号を検出することに用いられる。また、増幅回路は、電流検出ユニットに電気接続し、且つ増幅回路は、該電流信号を強化し、該電流値を形成する。また、比較回路は、増幅回路に電気接続し、且つ比較回路は、該電流値及び該電流下限値を比較する。
【００１１】
前記スマート充電装置において、電流下限値は２００ｍＡである。
【００１２】
前記スマート充電装置において、セカンダリデバイス接続端は、ＬＥＤインジケータを更に含み、該ＬＥＤインジケータは、該マイクロコントローラに電気接続し、且つ該ＬＥＤインジケータは、異なる色彩光を発し、該電流値が該電流下限値未満である時、該マイクロコントローラは、該ＬＥＤインジケータの色彩光を変化させる。
【００１３】
前記スマート充電装置において、セカンダリデバイス接続端は、更に、制御ボタンを含み、該スイッチ回路がオフ状態を呈する時、該制御ボタンを押圧した後、該スイッチ回路がオン状態に変化する。
【考案の効果】
【００１４】
本考案のスマート充電装置は、携帯電話又はその他の充電可能な電子装置が過充電状態になることを回避できる。
【図面の簡単な説明】
【００１５】
【図１ａ】本実施例のスマート充電装置１０が電子装置７及び外部電源８に接続するブロック図である。
【図１ｂ】本考案のスマート充電装置１０の立体図である。
【図２ａ】本考案のスマート充電装置１０が第１伝送線９に接続した立体図である。
【図２ｂ】本考案のスマート充電装置１０が電子装置７及び外部電源８に接続した立体図である。
【図３】別の実施例のスマート充電装置２０の立体図である。
【考案を実施するための形態】
【００１６】
図１Ａ及び図１Ｂを参照し、図１Ａが示すのは、本実施形態のスマート充電装置１０が電子装置１０及び外部電源８に電気接続するブロック図である。スマート充電装置１０は、セカンダリデバイス接続端１２及びプライマリデバイス接続端１４を含み、セカンダリデバイス接続端１２は、マイクロコントローラ１２２、電流検出モジュール１２１、ＬＥＤインジケータ１２４、スイッチ回路１２３、制御ボタン１２５及びＵＳＢスロット１２６を含み、ＬＥＤインジケータ１２４、制御ボタン１２５及びＵＳＢスロット１２６は、セカンダリデバイス接続端１２の外部に位置し、電流検出モジュール１２１、ＬＥＤインジケータ１２４及びスイッチ回路１２３は、セカンダリデバイス接続端１２の内部に設置される。マイクロコントローラ１２２は、電流検出モジュール１２１、ＬＥＤインジケータ１２４及びスイッチ回路１２３に電気接続し、且つマイクロコントローラ１２２は、電流下限値を保存し、通常、電流下限値は、２００ｍＡに設定される。上述において、該電流下限値は２００ｍＡに設定される。しかしながら、当業者であれば分かるように、該電流下限値は、１００ｍＡ、５０ｍＡ又は１０ｍＡであってもよい。言い換えれば、本実施形態は、該電流下限値の範囲を限定するものではない。
【００１７】
また、図２Ａ及び図２Ｂを参照し、図２Ａが示すのは、スマート充電装置１０が第１伝送線９に接続した立体図であり、図２Ｂが示すのは、スマート充電装置１０が電子装置７及び外部電源８に接続した立体図である。ＵＳＢスロット１２６は、外部の第１伝送線９によって電子装置７に接続し、第１伝送線９のＵＳＢコネクタ９１は、ＵＳＢスロット１２６に嵌め込まれ、従って、外部電源８の電力が第１伝送線９を介して電子装置７に伝送されることができる。
【００１８】
また、電流検出モジュール１２１は、電子装置７に電気接続し（電子装置７は、例えば、携帯電話、タブレットＰＣ又はノートパソコンである）、且つ電流検出モジュール１２１は、電子装置７の電流値を取得する。詳細に述べれば、電流検出モジュール１２１は、電流値検出ユニット１２１３、増幅回路１２１４及び比較電路１２１５を含み、増幅回路１２１４は、電流値検出ユニット１２１３及び比較電路１２１５の間に接続される。電流値検出ユニット１２１３は、電子装置７に出力する電流信号を検出する。しかしながら、通常、該電流信号の強度は大きくなく、従って、増幅回路１２１４によって該電流信号を強化し、該電流値を形成する。その後、比較電路１２１５は、該電流値及びマイクロコントローラ１２２内の電流下限値を比較し、該電流値が該電流下限値未満であるか否かを確認する。
【００１９】
また、再度図１Ａを参照し、スイッチ回路１２３は、電流検出モジュール１２１及びプライマリデバイス接続端１４に電気接続し、プライマリデバイス接続端１４は、外部電源８に電気接続し、外部電源８の電流は、プライマリデバイス接続端１４、スイッチ回路１２３、電流検出モジュール１２１及びセカンダリデバイス接続端１２によって電子装置７に伝達され、電子装置７内の電池に充電を行わせる。電子装置７の電池が充満に近づく時、セカンダリデバイス接続端１２が電子装置７に伝達する電流の数値は、徐々に小さくなり、従って電流検出モジュール１２１が取得する電流値１２は、２００ｍＡ（電流下限値）未満になる。また、該電流値が該電流下限値未満である時、マイクロコントローラ１２２がスイッチ回路１２３をオフ状態にする。従って、外部電源８の電流は、電子装置７に伝達することができない。このように、携帯電話の電池が１００％に達した後、スマート充電装置１０は、携帯電話の電池に対する給電を停止するので、該電池は、過充電の状況を発生することがない。また、これにより、スマート充電装置１０は、携帯電話が過熱状況を発生することを間接的に回避することもできる。
【００２０】
上記において、ＬＥＤインジケータ１２４は、異なる色彩光を発することに用いられ、例えば、図２Ｂを再度参照し、スマート充電装置１０は、電子装置７及び外部電源８の接続を開始する（外部電源８の供給元がノートパソコンである）時、ＬＥＤインジケータ１２４が赤色の明光を発し、この時のスイッチ回路１２３はオフ状態にあり、従って、電子装置７は、未だスマート充電装置１０による電力を受け取っていない。続いて、制御ボタン１２５が押圧された後、ＬＥＤインジケータ１２４は、緑色の明光を発生し、この時のスイッチ回路１２３は、オン状態に変わり、電子装置７は、スマート充電装置１０による電力の受け取りを開始する。また、該電流値が該電流下限値未満である時（電子装置７の電池が充満に近づく時）、マイクロコントローラ１２２は、ＬＥＤインジケータ１２４の色彩光を赤色の明光に変換させる。
【００２１】
図３を参照し、図３が示すのは、もう１つの実施例のスマート充電装置２０の立体図である。スマート充電装置２０及びスマート充電装置１０の差異は、スマート充電装置２０のセカンダリデバイス接続端２２が更に第２伝送線２２７を含み、スマート充電装置２０は、ＵＳＢスロット１２６を有さない。また、第２伝送線２２７は、電子装置７に接続することに用いられる。このように、スマート充電装置２０は、外部の伝送線を使用する必要がなく、電力を電子装置７に伝送できる。上記を総合し、本実施例のスマート充電装置は、携帯電話又はその他の充電可能な電子装置が過充電を生じる状況を回避することができ、携帯電話又はその他の充電可能な電子装置が過熱を発生する状況を間接的に回避することもできる。従って、スマート充電装置１０は、長時間携帯電話に接続することができる。
【符号の説明】
【００２２】
１０  スマート充電装置
１２  セカンダリデバイス接続端
１２１  電流検出モジュール
１２１３  電流検出ユニット
１２１４  増幅回路
１２１５  比較回路
１２２  マイクロコントローラ
１２３  スイッチ回路
１２４  ＬＥＤインジケータ
１２５  制御ボタン
１２６  ＵＳＢスロット
１４  プライマリデバイス接続端
２０  スマート充電装置
２２  セカンダリデバイス接続端
２２７  第２伝送線
７  電子装置
８  外部電源
９  第１伝送線
９１  ＵＳＢコネクタ
【図１ａ】
0003218612.tif 000003
【図１ｂ】
0003218612.tif 000004
【図２ａ】
0003218612.tif 000005
【図２ｂ】
0003218612.tif 000006
【図３】
0003218612.tif 000007